(57)【要約】【課題】洗剤を使用せず、低圧でも効果的に放射性物質を除染することができる放射性物質の除染方法を提供する。【解決手段】放射性物質が付着している箇所に過酸化水素水を散布し、所定時間放置したのち、水又は過酸化水素水で洗浄する。過酸化水素水によりこびり付いている放射性物質を浮き上がらせる。放射性物質が付着している箇所を洗浄した洗浄水について、洗浄水に含まれる放射性物質を籾殻、籾殻炭、及び、稲わらからなる群のうちの少なくとも１つを含む吸着剤に吸着させる。【選択図】なし【特許請求の範囲】
【請求項１】
放射性物質が付着している箇所に過酸化水素水を散布し、所定時間放置したのち、水又は過酸化水素水で洗浄することを特徴とする放射性物質の除染方法。
【請求項２】
放射性物質が付着している箇所を洗浄した洗浄水について、洗浄水に含まれる放射性物質を籾殻、籾殻炭、及び、稲わらからなる群のうちの少なくとも１つを含む吸着剤に吸着させることにより、洗浄水の放射性物質濃度を低減することを特徴とする請求項１記載の放射性物質の除染方法。
【請求項３】
前記吸着剤は、網目状部を有する収納体の中に入れたのち、容器の中に収納することにより吸着部を形成し、前記洗浄水は前記吸着部を通過させることにより浄化し、前記洗浄水を浄化する前に、前記吸着剤に水を含ませることを特徴とする請求項２記載の放射性物質の除染方法。
【請求項４】
前記吸着剤は圧縮することを特徴とする請求項３記載の放射性物質の除染方法。
【発明の詳細な説明】
【技術分野】
【０００１】
本発明は、セシウム１３７・セシウム１３４等の放射性物質濃度を低減する放射性物質の除染方法に関する。
【背景技術】
【０００２】
東京電力福島第一原子力発電所の事故に伴い、セシウム１３７・セシウム１３４を中心とした放射性物質による汚染が問題となっている。大気中に放出された放射性物質は雨などにより地上に降下し、屋根、雨樋、外壁、門塀、コンクリートやアスファルトのたたき等に付着している。これらの除染方法としては、例えば、高圧水等を用いて洗い流す方法がある（非特許文献１参照）。
【０００３】
ところが、既に、事故から時間が経過しているので、その間にこれらの構造物は風雨に晒されており、高圧洗浄で落ちる放射性物質の多くは豪雨等で流れ、残っているのは強固にこびり付いているものである。よって、高圧洗浄を行っても除染の効果は小さく、逆に、水圧により屋根等が破損してしまう恐れがあった。また、高圧洗浄の場合、洗浄水が飛散して放射性物質が拡散する恐れがあり、しかも、屋根等の高所作業では高所作業車を使用するのが最も安全であるが、住宅の庭や生垣等の配置の関係からアームを伸ばすことが難しい場合もあり、屋根全体を高圧洗浄することが難しい場合もあった。
【０００４】
また、他の洗浄方法としては、界面活性剤等の洗剤を用いるものもあるが（非特許文献１参照）、洗剤が河川や海に流れ込んでしまう可能性が高く、大規模に広範囲で使用すると、環境に大きな影響を与えてしまうという問題があった。そこで、洗剤を使用せず、低圧で効果的に放射性物質を洗い流す技術、及び、洗い流した洗浄水を浄化する技術の開発が求められていた。
【先行技術文献】
【非特許文献】
【０００５】
【非特許文献１】「第２編  除染等の措置に係るガイドライン」平成２３年１２月  第１版  環境省
【発明の概要】
【発明が解決しようとする課題】
【０００６】
本発明は、このような問題に基づきなされたものであり、洗剤を使用せず、低圧でも効果的に放射性物質を除染することができる放射性物質の除染方法を提供することを目的とする。
【課題を解決するための手段】
【０００７】
本発明の放射性物質の除染方法は、放射性物質が付着している箇所に過酸化水素水を散布し、所定時間放置したのち、水又は過酸化水素水で洗浄するものである。
【発明の効果】
【０００８】
本発明によれば、放射性物質が付着している箇所に過酸化水素水を散布し、所定時間放置したのち、水又は過酸化水素水で洗浄するようにしたので、洗剤を使用せず、低圧でも効果的に放射性物質を除染することができる。
【０００９】
また、放射性物質が付着している箇所を洗浄した洗浄水について、洗浄水に含まれる放射性物質を籾殻、籾殻炭、及び、稲わらからなる群のうちの少なくとも１つを含む吸着剤に吸着させるようにすれば、放射性物質の吸着率を高くすることができ、効率よく洗浄水の放射性物質濃度を低減することができる。
【００１０】
更に、吸着剤を、網目状部を有する収納体の中に入れたのち、容器の中に収納することにより吸着部を形成するようにすれば、洗浄水を吸着部に通過させることにより浄化することができ、特に、洗浄水を浄化する前に、吸着剤に水を含ませるようにすれば、吸着剤の隙間を減らすことができ、より洗浄水の放射性物質濃度を低減することができる。
【００１１】
更にまた、吸着剤を圧縮するようにすれば、吸着剤の隙間を減らすことができ、より洗浄水の放射性物質濃度を低減することができる。
【図面の簡単な説明】
【００１２】
【図１】本発明の一実施の形態に係る放射性物質の除染方法の模式図である。
【発明を実施するための形態】
【００１３】
以下、本発明の実施の形態について、図面を参照して詳細に説明する。
【００１４】
本発明の放射性物質の除染方法は、放射性物質が付着している箇所に過酸化水素水を散布し、所定時間放置したのち、水又は過酸化水素水で洗浄するものである。過酸化水素を用い、所定の時間放置することにより、強固にこびり付いて残っている放射性物質を、発生する泡により浮き上がらせると考えられ、更に、水又は過酸化水素水で洗浄することにより、放射性物質が除染される。また、過酸化水素水は、反応して分解されると、酸素と水になるので、洗剤を用いず、過酸化水素水のみを用いれば、大規模に広範囲で使用しても、環境に大きな影響を与えることがない。なお、最初に過酸化水素水を散布する際は、対象となる箇所に散布されればよい。一方、所定の時間放置した後に行う水又は過酸化水素水の洗浄は、最初に散布され、反応した過酸化水素水が洗浄される程度の圧力で洗浄すればよい。
【００１５】
最初に過酸化水素水を散布する際の圧力、及び、その後の洗浄の際の圧力は、７ＭＰａ未満であってもよく、２ＭＰａ以上５Ｍｐａ以下であればより好ましい。水圧による屋根等の破損や、洗浄水が飛散して放射性物質が拡散することを防止できるからである。
【００１６】
過酸化水素水の濃度は、特に限定されないが、０．１％以上３５％以下とすることが好ましい。この程度の濃度であれば、人体に付着しても特に問題はないからである。
【００１７】
このように放射性物質が付着している箇所を洗浄した洗浄水には、放射性物質が含まれているが、この洗浄水に含まれる放射性物質を、吸着剤により吸着させることにより、洗浄剤の放射性物質濃度を低減させることができる。このような吸着剤としては、籾殻、籾殻炭、及び、稲わらからなる群のうちの少なくとも１つを用いることができる。籾殻、籾殻炭、及び、稲わらは、放射性物質の吸着率が高く、安価であり、かつ、焼却あるいは堆肥化等の生分解等により減容化することができるので好ましい。
【００１８】
この吸着剤は、例えば、網目状部を有する収納体、例えば、ネット状の袋に入れて用いることが好ましい。吸着剤の取り扱いを容易とすることができると共に、洗浄水と十分に接触させることができるからである。なお、ネット状の袋は、開口部を紐やファスナー等により開閉可能とすれば、取り扱いをより容易とすることができるので好ましい。
【００１９】
網目状部を有する収納体に収納された吸着剤を、例えば、容器、例えば、底部を有する筒状体の中に収納することにより吸着部を形成し、この吸着部に、上述した洗浄水を通過させることにより放射性物質を浄化することができる。浄化した洗浄水は、例えば、容器の底付近に開口した排出部を設けることにより、この排出部から回収することができる。なお、吸着剤は、洗浄水を通過させる前に、水を含ませておくことが好ましい。吸着剤の隙間を減らすことができ、より洗浄水の放射性物質濃度を低減することができるからである。また、吸着剤は、水を含ませたのち、例えば、重石等を載せて、圧縮することが好ましい。吸着剤の隙間をより減らすことができ、より洗浄水の放射性物質濃度を低減することができるからである。
【００２０】
このように、本実施の形態によれば、放射性物質が付着している箇所に過酸化水素水を散布し、所定時間放置したのち、水又は過酸化水素水で洗浄するようにしたので、洗剤を使用せず、低圧でも効果的に放射性物質を除染することができる。
【００２１】
また、放射性物質が付着している箇所を洗浄した洗浄水について、洗浄水に含まれる放射性物質を籾殻、籾殻炭、及び、稲わらからなる群のうちの少なくとも１つを含む吸着剤に吸着させるようにすれば、放射性物質の吸着率を高くすることができ、効率よく洗浄水の放射性物質濃度を低減することができる。
【００２２】
更に、吸着剤を、網目状部を有する収納体の中に入れたのち、容器の中に収納することにより吸着部を形成するようにすれば、洗浄水を吸着部に通過させることにより浄化することができ、特に、洗浄水を浄化する前に、吸着剤に水を含ませるようにすれば、吸着剤の隙間を減らすことができ、より洗浄水の放射性物質濃度を低減することができる。
【００２３】
更にまた、吸着剤を圧縮するようにすれば、吸着剤の隙間を減らすことができ、より洗浄水の放射性物質濃度を低減することができる。
【実施例】
【００２４】
（実施例１）
実施例１では、住宅の屋根の放射性物質の除染を行った。図１は、その除染方法を模式的に表したものである。具体的には、屋根１を洗浄した洗浄水は、雨樋２に流れ、雨樋２に取り付けられたホース３を伝って側溝４に流される。側溝４の下流には、籾殻からなる吸着剤材をネット状の袋よりなる収納体５に入れて配置し、これにコンクリートブロックよりなる重石６を載せて圧縮する。また、この収納体５よりも、上流側からポンプ７により、洗浄水を汲み上げる。汲み上げられた洗浄水は、ドラム缶よりなる容器８の上面の注入口９に注入される。容器８には、籾殻からなる吸着剤材を入れたネット状の袋よりなる収納体５が詰め込まれており、その上にコンクリートブロックよりなる重石６が載せられ圧縮されている。容器８の下部には、排水口１０が設けられており、ここから、洗浄水が放流される。
【００２５】
洗浄水には、濃度３５％の過酸化水素水を１０倍に希釈して、濃度３．５％の過酸化水素水２００Ｌを用いた。容器８には、市販のモミガラネット３袋に合計１００Ｌの籾殻を入れ、水道水に通水して籾殻に含水させたものを詰め込んだ。なお、モミガラ１０Ｌで重量１ｋｇ程度であるが、通水すると、約４．３ｋｇに重量が増加される。
【００２６】
また、容器８には、重石６としてコンクリートブロック４個を配置し、容器８のドラム缶は、１８０Ｌのものを用いた。更に、側溝４には、市販のモミガラネットに籾殻を入れ水道水に通水して含水させたものを、側溝４が埋まるように配置し、その上に重石６としてコンクリートブロックを載せて圧縮した。
【００２７】
また、屋根を洗浄する際には、あらかじめ表面のごみや埃等を水道水により洗い流した。その後、洗浄水としての過酸化水素水を屋根の表面に散布し、数分程度経過した後、更に、過酸化水素水により洗浄した。その際、過酸化水素水の散布は、２ＭＰａ以上５Ｍｐａ以下の圧力の範囲で行い、その後の過酸化水素水による洗浄は、散布よりもやや強い圧力で行った。
【００２８】
比較例１では、屋根の洗浄を水道水で行ったことを除き、他は実施例と同様にして放射性物質の除染を行った。なお、洗浄は、高圧洗浄機を用いて、７ＭＰａ超の洗浄圧で行った。また、実施例１および比較例１では、それぞれ複数の家屋の除染を行った。
【００２９】
実施例１および比較例１において、洗浄した洗浄水について、放射性物質の測定を行った。放射性物質（放射性セシウム；セシウム１３４＋セシウム１３７）の測定は、γ線スペクトロメーター（ゲルマニウム半導体検出器）法により行った。結果は次の通りである。
【００３０】
屋根を洗浄したのちであって、側溝に流す前の洗浄液の放射性物質の濃度は、実施例１では、平均で２８７７０Ｂｑ／ｋｇであったのに対して、比較例１では、平均で９６７２Ｂｑ／ｋｇであり、約３倍の数値となった。なお、実施例１の洗浄水は、あらかじめ表面のごみや埃等を水道水で洗浄した後に、過酸化水素水で洗浄したときの洗浄水である。よって、過酸化水素水を用いることにより、放射性物質を効果的に除染できることが分かった。
また、容器８を透過し、排水口１０から排出された洗浄液の放射性物質の濃度は、実施例１では、加重平均で２７４８５Ｂｑ／ｋｇであったのに対して、比較例１では、加重平均で３０９７Ｂｑ／ｋｇであった。すなわち、実施例１では、籾殻による吸着剤を用いたことによる放射性物質の低減率は約９０％であるのに対して、比較例１では約６８％であった。よって、放射性物質が付着している箇所に過酸化水素水を散布し、所定時間放置したのち、水又は過酸化水素水で洗浄し、放射性物質を籾殻からなる吸着剤に吸着させることにより、洗浄水の放射性物質濃度を効果的に低減できることが分かった。
【００３１】
更に、除染後の屋根の放射線の空間線量についても測定した。測定は、屋根表面から１ｃｍの位置で行い、測定には、放射線測定装置（堀場製作所製ＰＡ−１０００；γ線測定）を用いた。その結果、実施例１では洗浄前に、加重平均で１．７９４μＳｖ／ｈであったのに対して、洗浄後は、加重平均で１．４１７μＳｖ／ｈであり、平均で約２１％の低減効果があった。一方、比較例１では、洗浄前に、加重平均で２．２６５μＳｖ／ｈであったのに対して、洗浄後は、加重平均で２．０２８μＳｖ／ｈであり、平均で約１０％の低減効果しかなかった。すなわち、空間線量についても、低減させる効果が高いことが分かった。
【００３２】
（実施例２−１〜２−３）
福島県南相馬市の東京電力福島第一原子力発電所から２３ｋｍ圏におけるダムからの用水に吸着剤を２ヶ月間にわたり浸潤させ、吸着剤に吸着された放射性物質の量を測定した。吸着剤には、実施例２−１では籾殻を用い、実施例２−２では籾殻炭を用い、実施例２−３では稲わらを用いた。吸着剤は、いずれもネット状の袋に入れて用水に浸漬した。また、放射性物質の測定は、γ線スペクトロメーター（ゲルマニウム半導体検出器）法により行った。得られた結果を表１に示す。
【００３３】
（比較例２−１，２−２）
実施例２−１〜２−３に対する比較例２−１，２−２として、吸着剤を異ならせたことを除き、他は実施例２−１〜２−３と同様にして、吸着剤に吸着された放射性物質の量を測定した。吸着剤には、比較例２−１ではゼオライトを用い、比較例２−２ではバーミキュライトを用いた。得られた結果を表１に示す。
【００３４】
【表１】
2014013167.tif 000002
【００３５】
表１に示したように、吸着剤に吸着された放射性物質の量は、セシウム１３４とセシウム１３７の合計で、実施例２−１の籾殻で３２０００Ｂｑ／ｋｇ、実施例２−２の籾殻炭で２４０００Ｂｑ／ｋｇ、実施例２−３の稲わらで５１０００Ｂｑ／ｋｇであった。これに対して、比較例２−１のゼオライトは２０８０Ｂｑ／ｋｇ、比較例２−２のバーミキュライトは４０００Ｂｑ／ｋｇと実施例１〜３に比べて低かった。すなわち、籾殻の他に、籾殻炭あるいは稲わらについても、放射性物質を多く吸着することができ、効率良く除染できることが分かった。
【００３６】
以上、実施の形態を挙げて本発明を説明したが、本発明は上記実施の形態に限定されるものではなく、種々変形可能である。例えば、上記実施例では、家屋の屋根を除染する場合について説明したが、雨樋，外壁あるいは門扉などに対しても行うことができると共に、コンクリートあるいはアスファルトなどにも行うことができ、更に、庭の敷き砂利などにも行うことができる。
【産業上の利用可能性】
【００３７】
放射性物質を含む汚染水の除染に用いることができる。
【符号の説明】
【００３８】
１…屋根、２…雨樋２、３…ホース、４…側溝、５…収納体、６…重石、７…ポンプ、８…容器、９…注入口、１０…排水口
【図１】
2014013167.tif 000003